(57)【要約】      （修正有）【課題】地震発生時等において棚に載置したファイルや商品等の物品が当該棚より落下するのを防止するための載置物落下防止ネットにおいて、ネットの辺縁部に配設したターポリンベルトやワンタッチバックルを棚板に容易に固定することができる、載置物落下防止ネット用係止具を提供する。【解決手段】ベース板２の中央部にボルト部３を垂直に固着するとともにベース板の裏面に両面テープ４を張着して構成した係止具１と、係止具のボルト部に挿入してナット締めが行えるハトメ穴をネットのターポリンベルトやワンタッチバックルの一方のベルトに穿孔して構成し、棚板への穴開け加工やネジ切り加工が不要にできる構造とする。【選択図】図１
0003187980.tif 000002
【実用新案登録請求の範囲】
【請求項１】
ベース板の中央部にボルト部を垂直に固着するとともに当該ベース部の裏面に両面テープを張着して構成した係止具と、前記係止具のボルト部に挿入してナット締めが行えるハトメ穴をネットのターポリンベルトやワンタッチバックルの一方のベルトに穿孔して構成し、棚板への穴開け加工やネジ切り加工が不要にできる構造としたことを特徴とする、載置物落下防止ネット用係止具。
【考案の詳細な説明】
【技術分野】
【０００１】  本考案は、地震発生時等において棚に載置したファイルや商品等の物品が当該棚より落下するのを防止するための載置物落下防止ネットにおいて、該ネットの辺縁部に配設したターポリンベルトやワンタッチバックルを棚板に容易に固定することができる、載置物落下防止ネット用係止具に関するものである。
【背景技術】
【０００２】  従来、オフィスや工場を始めあらゆる場所においてファイルや商品等の物品を木製棚やスチール製棚に載置して整理保管している。【０００３】  地震発生時等において上記棚に載置したファイルや商品等の物品が当該棚より落下するのを防止するための方法として、当該棚自体が転倒するのを防止すべく、棚の支柱や天板をワイヤーや金具等により床や壁等に固定していた。【０００４】  しかしながら、上記方法では大きな地震、特に横揺れが激しい地震の場合、棚自体は床や壁等に固定されて転倒しなくとも、棚板に載置したファイルや商品等の物品が落下する危険性がある。このような危険性を防止すべく、本願出願人による実用新案登録第３１８６３４２号公報の考案の名称「載置物落下防止ネット用押止具」では、複数の上下棚板で形成される載置空間の前面全体にネットを張設して覆う方法と、該ネットの撓みによる落下防止機能の不確実性を補完する、載置物落下防止ネット用押止具について記載した。【０００５】
【特許文献１】実用新案登録第３１８６３４２号
【考案の開示】
【考案が解決しようとする課題】
【０００６】  上記公報において、載置物落下防止ネットの底辺部と上辺部はターポリンベルトで補強されており、底辺部は底部の棚板の前面横方向の数ヶ所をボルトで固定し、上辺部は当該上辺部のさらに上部にある棚板の前面横方向の３ヶ所をワンタッチバックルで張設している。該載置物落下防止ネットの底辺部と上辺部の棚板への固定は、当該棚板に固定用のボルトを螺着すべく穴開け加工やネジ切り加工が必要であるため、作業性が劣るという欠点があった。また、載置物落下防止ネットが不要となった際には、前記作業で開けた穴が多数残ってしまうという問題点もあった。【０００７】  本考案は、上記問題点を解決するために成されたものであり、地震発生時等において棚に載置したファイルや商品等の物品が当該棚より落下するのを防止するための載置物落下防止ネットにおいて、該ネットの辺縁部に配設したターポリンベルトやワンタッチバックルを棚板に容易に固定することができる、載置物落下防止ネット用係止具を提供することを目的とする。
【課題を解決するための手段】
【０００８】  上記課題を解決するため、本考案の載置物落下防止ネット用係止具は、ベース板の中央部にボルト部を垂直に固着するとともに当該ベース部の裏面に両面テープを張着して構成した係止具と、前記係止具のボルト部に挿入してナット締めが行えるハトメ穴をネットのターポリンベルトやワンタッチバックルの一方のベルトに穿孔して構成し、棚板への穴開け加工やネジ切り加工が不要にできる構造とする。
【考案の効果】
【０００９】  本考案の載置物落下防止ネット用押止具を用いれば、地震発生時等において棚に載置したファイルや商品等の物品が当該棚より落下するのを防止するための載置物落下防止ネットにおいて、該ネットの辺縁部に配設したターポリンベルトやワンタッチバックルを棚板に固定する際に、棚板の穴開け加工やネジ切り加工が不要となり、容易に固定することができるいう効果を奏する。
【考案を実施するための最良の形態】
【００１０】  本考案を実施するための最良の形態を図を用いて説明する。【００１１】  図１は本考案の載置物落下防止ネット用係止具の外形図であり、（ａ）は平面図、（ｂ）は側面図である。該図に示すように、係止具１はベース板２の中央部にボルト部３を垂直に固着するとともに当該ベース部２の裏面に両面テープ４を張着して構成する。【００１２】  図２は本考案の載置物落下防止ネット用係止具に適合するワンタッチバックルの構成図である。該図に示すように、ワンタッチバックル５はネットの上辺部を保持するための保持側ベルト７を巻着したオス側バックル６と、ハトメ１０にてハトメ穴１０ａが穿孔された係止側ベルト９を巻着したメス側バックル８にて構成する。なお、ネットの底辺部を棚板に固定するターポリンベルトにも同様のハトメ穴１０ａ（図示せず）を穿孔しておく。【００１３】  図３は本考案の載置物落下防止ネット用係止具にワンタッチバックルを係止した状態図である。該図に示すように、ワンタッチバックル５の係止側ベルト９に穿孔されたハトメ穴１０ａの位置と対応する棚板の前面に係止具１を両面テープ４にて貼着し、該係止具１のボルト部３に前記係止側ベルト９のハトメ穴１０ａを挿入し、ワッシャー１１を挟んで袋ナット１２にて螺着する。なお、ネットの底辺部を棚板に固定するターポリンベルトの固定も同様に行う。【００１４】  図４は本考案の載置物落下防止ネット用係止具を使用した状態の棚の正面図であり、図５は図４におけるＡ部拡大図である。左右の支柱１４間において複数の上下棚板１３で形成される載置空間の前面全体にネット１５を張設して覆う作業を行う場合、上述のような方法で行うとこにより棚板１３の穴開け加工やネジ切り加工が不要となり、ネット１５を容易に固定することができる。そして、該ネット１５により、地震発生時等において棚に載置したファイルや商品等の物品１８を当該棚より落下するのを防止することができる。なお、本考案の説明は載置物落下防止ネット用係止具に関するものであるため、特許文献１に記載した載置物落下防止ネット用押止具については説明及び図示は省略してある。【００１５】  なお、上記にて説明した載置物落下防止ネット用係止具を構成する係止具１やワンタッチバックル５の形状は図示したものに限定することはない。また、ターポリンベルト１７の有無および前記ワンタッチバックル５の固定位置や使用数量も図示したものに限定することなく、同等の機能を得られるもの全てを包含するものである。
【図面の簡単な説明】
【００１６】
【図１】本考案の載置物落下防止ネット用係止具の外形図である。
【図２】本考案の載置物落下防止ネット用係止具に適合するワンタッチバックルの構成図である。
【図３】本考案の載置物落下防止ネット用係止具にワンタッチバックルを係止した状態図である。
【図４】本考案の載置物落下防止ネット用係止具を使用した状態の棚の正面図である。
【図５】図４におけるＡ部拡大図である。
【符号の説明】
【００１７】  １  係止具  ２  ベース板  ３  ボルト部  ４  両面テープ  ５  ワンタッチバックル  ６  オス側バックル  ７  保持側ベルト  ８  メス側バックル  ９  係止側ベルト１０  ハトメ１１  ワッシャー１２  袋ナット１３  棚板１４  支柱１５  ネット１６  ボルト１７  ターポリンベルト１８  物品
【図１】
0003187980.tif 000003
【図２】
0003187980.tif 000004
【図３】
0003187980.tif 000005
【図４】
0003187980.tif 000006
【図５】
0003187980.tif 000007